(57)【要約】      （修正有）【課題】布団乾燥機側のホースの径の大きさや先端の接続部分の形状等に制限されずに、各社から販売されている布団乾燥機を使用することができる乾燥機用の接続口を有するマットレスを提供する。【解決手段】マットレス１は圧縮されることで付勢力を有するマットレス芯とマットレス芯を包囲するカバー布３とによって扁平な外観となるように構成される。カバー布３の一部にはカバー布３の内外を連通する外気導入用の開口部が形成されるとともに、開口部位置には開口部を包囲する柔軟素材からなる筒袖部８が装着されており、布団乾燥機Ｄの使用時に筒袖部８は紐１０によって先端を縮径させて布団乾燥機Ｄのホース１６の蛇腹の溝に食い込ませるようにする。【選択図】図２
0003230025.tif 000002
【実用新案登録請求の範囲】
【請求項１】
圧縮されることで付勢力を有する弾性部材を有して内部の立体的な骨格を形成する芯部材と、前記芯部材を包囲するカバー体とによって扁平な外観となるように構成されたマットレスであって、
前記カバー体の一部には前記カバー体の内外を連通する外気導入用の開口部が形成されるとともに、前記開口部位置には前記開口部を包囲する柔軟素材からなる筒袖状部材が装着されており、前記筒袖状部材は前記筒袖状部材を縮径させる縮径手段を備えることを特徴とするマットレス。
【請求項２】
前記筒袖状部材の前端側外周に沿って通路を形成し、前記通路内に紐部材を通し、前記紐部材を引き絞ることで前記筒袖状部材の前端側の径を縮小させるようにして前記縮径手段を構成したことを特徴とするマットレス。
【請求項３】
前記筒袖状部材は畳まれた状態で前記カバー体に設けられた蓋部材の内側に格納可能であることを特徴とする請求項１又は２に記載のマットレス。
【請求項４】
前記蓋部材は前記筒袖状部材を格納した状態で前記カバー体に対して面ファスナーによって固定されることを特徴とする請求項１〜３のいずれかに記載のマットレス。
【請求項５】
前記弾性部材が前記芯部材の一部又は全部を兼ねていることを特徴とする請求項１〜４のいずれかに記載のマットレス。
【考案の詳細な説明】
【技術分野】
【０００１】
本考案は、例えば、寝具、遊具、運動具等に使用される、乾燥機を取り付けることのできるマットレス等に関するものである。
【背景技術】
【０００２】
例えば、寝具、遊具、運動具等に使用されるマットレスは、クッション性を有するコイルスプリングや、発泡ウレタン、あるいは繊維状樹脂立体成形体等からなる芯部材の周囲を丈夫な例えばキルトのようなカバー体で包囲して構成されている。
従来からこのようなマットレスに乾燥機を接続して、敷き布団に布団乾燥機を使用して乾燥するのと同様に内部をマットレス乾燥させたり暖めたりするようにしている。
このようなマットレスと乾燥機の一例を特許文献１として示す。特許文献１はマットレス１の接続口３に布団乾燥機１０のホース（熱風吹出し筒１１）を接続してマットレス１内部に熱風を供給するという技術である。
【先行技術文献】
【特許文献】
【０００３】
【特許文献１】実用新案登録第３０３９１９１号公報
【考案の概要】
【考案が解決しようとする課題】
【０００４】
しかし、特許文献１では、マットレス１側の接続口３の形状が一義的に決まっているためどのような布団乾燥機でも使用できるというわけではない。一方、布団乾燥機のホースの先端形状においては特にホースの径に規格はない。そのため、例えば、ホース先端の形状によっては大きすぎて接続口３に差し込めない可能性もあるし、逆に接続口３から抜け落ちてしまう可能性もある。また、ホース先端が細ければ熱風が接続口３との隙間から漏れてしまう。このようなことから、布団乾燥機側のホースの径の大きさや先端の接続部分の形状等に制限されずに、各社から販売されている布団乾燥機を使用することができる乾燥機用の接続口を有するマットレスが望まれていた。
【課題を解決するための手段】
【０００５】
上記の目的を達成するための第１の手段として、圧縮されることで付勢力を有する弾性部材を有して内部の立体的な骨格を形成する芯部材と、前記芯部材を包囲するカバー体とによって扁平な外観となるように構成されたマットレスであって、前記カバー体の一部には前記カバー体の内外を連通する外気導入用の開口部が形成されるとともに、前記開口部位置には前記開口部を包囲する柔軟素材からなる筒袖状部材が装着されており、前記筒袖状部材は前記筒袖状部材を縮径させる縮径手段を備えるようにした。
これによって、乾燥機のホースの先端側をマットレスの開口部に取り付ける際に、ホースを筒袖状部材によって包囲することができる。そして、縮径手段によって筒袖状部材をホースの周囲に固定することでホースが開口部位置に配置されることとなる。
このようなマットレスであれば、乾燥機によってマットレス内部に送風する際に、乾燥機側のホースの径の大きさや先端の接続部分の形状等に制限されずに簡単にホースを取り付けることができる。
【０００６】
「圧縮されることで付勢力を有する弾性部材」は、例えば、コイルスプリングや発泡性合成樹脂体や繊維状樹脂立体成形体がよい。コイルスプリングや発泡性合成樹脂体や繊維状樹脂立体成形体を任意に組み合わせてもよい。コイルスプリングはボンネルコイルでもポケットコイルでもよい。また、コイルスプリング以外のスプリングでもよい。発泡性合成樹脂体は例えば、発泡ポリウレタンや発泡ポリエステル、発泡ポリスチレン等のような発泡体がよい。繊維状樹脂立体成形体は、繊維状の樹脂が絡み合うように部分的に接合された３次元形状の部材である。
「芯部材」は、上記弾性部材を主として構成された立体的な内部骨格である。弾性部材だけで構成するようにしてもよい。あるいは弾性部材を附属部材で連結するようにして構成するようにしてもよい。
「カバー体」は芯部材を包囲する袋部材であって、例えば柔軟な布素材で構成されることがよい。芯部材に沿うようにぴったりと包囲してもよく、余裕をもたせてもよい。カバー体は芯部材が取り出せないように縫製してもよく、取り出せるようにしてもよい。カバー体の内側に例えばクッション材を配置するようにしてもよい。
「マットレス」は扁平な外観となるが、必ずしも直方体形状でなくともよい。また、用途として、例えば寝具、遊具、運動具等として使用されるマットレスであるとよい。
【０００７】
「カバー体の一部に形成される外気導入用の開口部」は、カバー体のどこに形成されていてもよいが、特に側面がよい。寝具用の直方体形状のマットレスであれば長手側の側面がよい。開口部の形状は特に問わない。
「筒袖状部材」は、前後に開口部を有する吹き流し状の柔軟な筒体である。長さ方向に必ずしも同径でなくともよい。筒袖状部材は一端が開口部の周囲に固定されており、他端が開放された状態とされる。筒袖状部材は特に円形断面に構成することがよい。筒袖状部材は柔軟で薄い素材、例えば布や、例えばカレンダ成形等で得られる薄いシート状の膜素材等を使用することができる。
「縮径手段」は、筒袖状部材の径をその柔軟性を生かして生地を重ねたり折り曲げたりして変形させながら縮小させてその状態で保持させることができる手段である。例えば筒袖状部材を巾着状に絞って縮径させてもよく、筒袖状部材の外から紐で縛ってもよい。また、紐を筒袖状部材に巻回した状態で面ファスナーを利用して固定するようにしてもよい。紐は筒袖状部材に附属していても、別体とされていてもよい。
【０００８】
第２の手段では、前記筒袖状部材の前端側外周に沿って通路を形成し、前記通路内に紐部材を通し、前記紐部材を引き絞ることで前記筒袖状部材の前端側の径を縮小させるようにして前記縮径手段を構成するようにした。
縮径手段の具体的手段である。これによって紐部材を引き絞ることで簡単に縮径でき、その状態筒袖状部材をでホースに密着させることができる。引き絞った状態で紐部材を保持する保持手段としては紐を縛ったりしてもよいが、コードストッパーを使用することが簡単でよい。ホースは一般に蛇腹状の外形であることが多く、このような縮径手段になじみやすい。
第３の手段では、前記筒袖状部材は畳まれた状態で前記カバー体に設けられた蓋部材の内側に格納可能であるようにした。
これによって、乾燥機を使用しないときには、筒袖状部材を外に露出させずに隠しておくことができる。
第４の手段では、前記蓋部材は前記筒袖状部材を格納した状態で前記カバー体に対して面ファスナーによって固定されるようにした。
これによって簡単に蓋部材を着脱することが可能となり、簡単に筒袖状部材を取り出して乾燥作業をすることができる。
第５の手段では、前記弾性部材は前記芯部材の一部又は全部を兼ねているようにした。  つまり、弾性部材イコール芯部材となるような構成でも、他の部材を弾性部材と組み合わせて芯部材を構成するようにしてもよい。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
本願考案は以下の実施の形態に記載の構成に限定されない。各実施の形態や実施例の構成要素は任意に選択して組み合わせて構成するとよい。また各実施の形態や変形例の任意の構成要素と、考明を解決するための手段に記載の任意の構成要素または考を解決するための手段に記載の任意の構成要素を具体化した構成要素とは任意に組み合わせて構成するとよい。これらについても本願の補正または分割出願等において権利取得する意思を有する。
【考案の効果】
【０００９】
本考案のようなマットレスであれば、乾燥機によってマットレス内部に送風する際に、乾燥機側のホースの径の大きさや先端の接続部分の形状等に制限されずにホースを簡単に取り付けることができる。
【図面の簡単な説明】
【００１０】
【図１】本考案の実施の形態のマットレスの一部を破断した状態で示す斜視図。
【図２】同じマットレスについて布団乾燥機をセットした状態の斜視図。
【図３】布団乾燥機のホースを固定した状態の拡大斜視図。。
【図４】（ａ）は同じマットレスの部分拡大側面図、（ｂ）は（ａ）の状態から蓋を開けて筒袖部を伸ばし、布団乾燥機のホースを接近させている状態を説明する説明図、（ｃ）はマットレスに対する布団乾燥機のホースが装着された状態の説明図。
【考案を実施するための形態】
【００１１】
以下、本考案のマットレスを具体化した実施の形態を図面に基づいて説明する。
図１及び図２に示すように、マットレス１は略扁平な直方体形状のマットレス芯２と、マットレス芯２の周囲を包囲するキルト地からなるカバー布３を基本構成とし、扁平な直方体形状の外形とされている。マットレス芯２は、本実施の形態では縦横に整列配置された弾性部材としてのポケットコイル４を連結することで構成されている。カバー布３はマットレス１の表裏面を構成する第１の面３ａと第２の面３ｂと、マットレス１のまちとなる側面を構成する長手方向に対面で配置される第３の面３ｃと、短手方向に対面で配置される第４の面３ｄとからなる。第１の面３ａと第３の面３ｃ及び第４の面３ｄとの接合部分、並びに第２の面３ｂと第３の面３ｃ及び第４の面３ｄとの接合部分はエッジテープ５を介して縫製されている。マットレス芯２と第１の面３ａ及び第２の面３の間にはフェルト製のクッション材６が収容されている。
図３の隠れ線に示すように、いずれか一方の第３の面３ｃにはマットレス１内外を連通する開口部７が形成されている。開口部７は正方形形状に構成されている。図３及び図４（ａ）〜（ｃ）に示すように、開口部７の外側には筒袖部８が取り付けられている。筒袖部８は吹き流し状に構成された円形の断面のナイロン製の布からなる円筒体である。筒袖部８はその一端側が開口部７周囲に固定されており、開口部７を包囲している。筒袖部８の開放端側の前端には周方向に通路９が形成されており、通路９内には紐１０が挿通されている。紐１０は通路９を周回し、通路９の一部に形成された透孔から外側に余った部分が垂れ下がっている。紐１０には保持手段としてのコードストッパー１１が取り付けられている。
筒袖部８の周囲にはフック側となる面ファスナー１２が縫製されている。
開口部７が形成されている位置に対応する第３の面３ｃの前面には蓋部材としてのフラップ１３が配設されている。フラップ１３は略方形の布部材からなり、上縁１３ａに沿って第３の面３ｃに縫製されている。フラップ１３の裏面はループ側となる面ファスナー１５とされている。このように構成することで、フラップ１３は上縁１３ａから下方に垂れ下がることとなり、垂れ下がった状態で筒袖部８の周囲の面ファスナー１２と裏面の面ファスナー１５とが接着関係となってフラップ１３が閉じた状態で第３の面３ｃで保持されることとなる。
【００１２】
このような構成のマットレス１に対して布団乾燥機Ｄのホース１６を接続して乾燥する方法について説明する。
図１に示すように、マットレス１は作業の便のために架台１７の上に載置するものとする。架台１７の代わりにベッドでもよく、あるいはマットレス１が床や畳の上に直接置かれていてもよい。
図１及び図４に（ａ）示すように、布団乾燥機Ｄのホース１６を接続する前では、筒袖部８（及び紐１０）は折り畳まれてフラップ１３の裏側に格納されている。フラップ１３は面ファスナー１２、１５同士が接着されて第３の面３ｃに保持されることとなる。この筒袖部８の格納状態では普通にマットレス１として使用することができる。
布団乾燥機Ｄをマットレス１のフラップ１３近傍に設置する。そして、ホース１６を取り出す。ホース１６は可動範囲が広くなるように蛇腹状の外形とされている。一方、マットレス１側の準備として図４（ｂ）に示すように、フラップ１３を持ち上げ、畳んである筒袖部８を引き出す。そして、ホース１６先端を筒袖部８内に挿入し、ホース１６先端が開口部７からマットレス１内部に挿入された状態で図４（ｃ）に示すように、紐１０を引き絞り、筒袖部８の生地とともにホース１６の蛇腹の溝に食い込ませコードストッパー１１で紐１０が戻らないように固定する。この状態で作業者が手を離してもホース１６が筒袖部８から脱落してしまうことはない。次いで、布団乾燥機Ｄのスイッチを入れて温風をマットレス１内に導入する。
布団乾燥機Ｄの使用完了後においては、コードストッパー１１を操作して紐１０を緩めることでホース１６は容易に筒袖部８から抜き取ることができ、再び筒袖部８を畳んでフラップ１３内に格納する。
【００１３】
このように構成されたマットレス１では次のような効果が奏される。
（１）筒袖部８は紐１０を引き絞ることで縮径できるため、様々な布団乾燥機の機種のホースの径に対応でき、布団乾燥機の機種を選ばない。また、ホース１６の先端のアタッチメントを利用してホース１６をマットレス１に固定するわけではないので、その点でも布団乾燥機の機種を選ばない。また、単に紐１０を引き絞り、コードストッパー１１を操作して筒袖部８をホース１６に固定できるため、ホース１６取り付け作業が簡単である。
（２）一般的な布団乾燥機のホースは上記の例の布団乾燥機Ｄのホース１６のように蛇腹状であることが多いため、紐１０を引き絞ることで紐１０をホース１６の蛇腹の溝に食い込ませることができる。紐１０が蛇腹の溝に食い込むことで紐がホース１６の長手方向にずれることがないため、ホース１６先端のマットレス１内への位置がいかようであってもホース１６を確実に保持することができる。例えば、ホース１６を奥側や手前で保持して様々な位置で送風することができるようになる。
（３）筒袖部８は柔軟な布部材であり嵩張らないため、フラップ１３の内側に畳んで格納することができ、邪魔になることがない。
（４）フラップ１３は面ファスナー１２、１５の作用によって固定されるため、筒袖部８の取り出しや格納の作業が簡単となる。
【００１４】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・マットレス１の形状、素材や構成は上記は一例である。例えば、マットレス芯２とカバー布３を他の態様で実施することが可能である。例えば、上記ではマットレス芯２の弾性部材としてポケットコイル４を使用したがボンネルコイルでもよく、また、他の素材であってもマットレスで使用される素材であればよい。また、形状も直方体形状に限定されるものではない。
・開口部７位置（つまり、筒袖部８やフラップ１３、面ファスナー１２、１５等の位置）は第３の面３ｃ以外の位置でもよい。また、開口部７を複数設け、それぞれに筒袖部８やフラップ１３や面ファスナー１２、１５等を設けるようにしてもよい。
・筒袖部８の紐１０を引き絞った状態で保持する手段はコードストッパー１１でなくともよい。例えば紐自体をホース１６の周りに巻回して公知の結び方で結んで縛るようにしてもよい。また、面ファスナーで固定するようにしてもよい。
・フラップ１３は上縁１３ａ以外の位置で開放可能に取り付けてもよい。フラップ１３の形状も上記は一例である。
・面ファスナー１２、１５の位置は一例である。
・その他、本考案の趣旨を逸脱しない態様で実施することは自由である。
【符号の説明】
【００１５】
１…マットレス、２…芯部材としてのマットレス芯、３…カバー体としてのカバー布、４…弾性部材としてのポケットコイル、７…開口部、８…筒袖状部材としての筒袖部、９…縮径手段としての紐。
【図１】
0003230025.tif 000003
【図２】
0003230025.tif 000004
【図３】
0003230025.tif 000005
【図４】
0003230025.tif 000006
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
圧縮されることで付勢力を有する弾性部材を有して内部の立体的な骨格を形成する芯部材と、前記芯部材を包囲するカバー体とによって扁平な外観となるように構成されたマットレスであって、
前記カバー体の一部には前記カバー体の内外を連通する外気導入用の開口部が形成されるとともに、前記開口部位置には前記開口部を包囲する柔軟素材からなる筒袖状部材が装着されており、前記筒袖状部材は前記筒袖状部材を縮径させる縮径手段を備えることを特徴とするマットレス。
【請求項２】
前記筒袖状部材の前端側外周に沿って通路を形成し、前記通路内に紐部材を通し、前記紐部材を引き絞ることで前記筒袖状部材の前端側の径を縮小させるようにして前記縮径手段を構成したことを特徴とするマットレス。
【請求項３】
前記筒袖状部材は畳まれた状態で前記カバー体に設けられた蓋部材の内側に格納可能であることを特徴とする請求項１又は２に記載のマットレス。
【請求項４】
前記蓋部材は前記筒袖状部材を格納した状態で前記カバー体に対して面ファスナーによって固定されることを特徴とする請求項３に記載のマットレス。
【請求項５】
前記弾性部材が前記芯部材の一部又は全部を兼ねていることを特徴とする請求項１〜４のいずれかに記載のマットレス。
【手続補正書】
【提出日】令和2年10月23日(2020.10.23)
【手続補正１】
【補正対象書類名】実用新案登録請求の範囲
【補正対象項目名】全文
【補正方法】変更
【補正の内容】
【実用新案登録請求の範囲】
【請求項１】
圧縮されることで付勢力を有する弾性部材を有して内部の立体的な骨格を形成する芯部材と、前記芯部材を包囲するカバー体とによって扁平な外観となるように構成されたマットレスであって、
前記カバー体の一部には前記カバー体の内外を連通する外気導入用の開口部が形成されるとともに、前記開口部位置には前記開口部を包囲する柔軟素材からなる筒袖状部材が装着されており、前記筒袖状部材は前記筒袖状部材を縮径させる縮径手段を備えることを特徴とするマットレス。
【請求項２】
前記筒袖状部材の前端側外周に沿って通路を形成し、前記通路内に紐部材を通し、前記紐部材を引き絞ることで前記筒袖状部材の前端側の径を縮小させるようにして前記縮径手段を構成したことを特徴とする請求項１に記載のマットレス。
【請求項３】
前記筒袖状部材は畳まれた状態で前記カバー体に設けられた蓋部材の内側に格納可能であることを特徴とする請求項１又は２に記載のマットレス。
【請求項４】
前記蓋部材は前記筒袖状部材を格納した状態で前記カバー体に対して面ファスナーによって固定されることを特徴とする請求項３に記載のマットレス。
【請求項５】
前記弾性部材が前記芯部材の一部又は全部を兼ねていることを特徴とする請求項１〜４のいずれかに記載のマットレス。
【手続補正書】
【提出日】令和2年10月30日(2020.10.30)
【手続補正１】
【補正対象書類名】明細書
【補正対象項目名】０００８
【補正方法】変更
【補正の内容】
【０００８】
第２の手段では、前記筒袖状部材の前端側外周に沿って通路を形成し、前記通路内に紐部材を通し、前記紐部材を引き絞ることで前記筒袖状部材の前端側の径を縮小させるようにして前記縮径手段を構成するようにした。
縮径手段の具体的手段である。これによって紐部材を引き絞ることで簡単に縮径でき、その状態筒袖状部材をでホースに密着させることができる。引き絞った状態で紐部材を保持する保持手段としては紐を縛ったりしてもよいが、コードストッパーを使用することが簡単でよい。ホースは一般に蛇腹状の外形であることが多く、このような縮径手段になじみやすい。
第３の手段では、前記筒袖状部材は畳まれた状態で前記カバー体に設けられた蓋部材の内側に格納可能であるようにした。
これによって、乾燥機を使用しないときには、筒袖状部材を外に露出させずに隠しておくことができる。
第４の手段では、前記蓋部材は前記筒袖状部材を格納した状態で前記カバー体に対して面ファスナーによって固定されるようにした。
これによって簡単に蓋部材を着脱することが可能となり、簡単に筒袖状部材を取り出して乾燥作業をすることができる。
第５の手段では、前記弾性部材は前記芯部材の一部又は全部を兼ねているようにした。  つまり、弾性部材イコール芯部材となるような構成でも、他の部材を弾性部材と組み合わせて芯部材を構成するようにしてもよい。
本願考案は以下の実施の形態に記載の構成に限定されない。各実施の形態や実施例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または分割出願等において権利取得する意思を有する。